(57)【要約】【課題】経路探索の対象から除外されている道路を選択的に経路探索の対象として利用できるようにするナビゲーション装置を提供すること。【解決手段】地図情報を用いて経路探索を実行するナビゲーション装置１００は、車両の現在位置と地図情報とに基づいて車両の走行する道路が経路探索の対象としない制限領域に属するか否かを判定する制限領域属否判定手段１１と、制限領域属否判定手段１１により制限領域に属すると判定された場合に、その制限領域への進入に関する情報を記録する制限領域進入情報記録手段１２と、制限領域進入情報記録手段１２の記録に基づいてその制限領域にある道路を経路探索の対象とするか否かを決定する経路探索対象決定手段１３と、を備える。【選択図】図１
2008256555.tif 000002
【特許請求の範囲】
【請求項１】
地図情報を用いて経路探索を実行するナビゲーション装置であって、
車両の現在位置と地図情報とに基づいて車両の走行する道路が経路探索の対象としない制限領域に属するか否かを判定する制限領域属否判定手段と、
前記制限領域属否判定手段により制限領域に属すると判定された場合に、該制限領域への進入に関する情報を記録する制限領域進入情報記録手段と、
前記制限領域進入情報記録手段の記録に基づいて前記制限領域にある道路を経路探索の対象とするか否かを決定する経路探索対象決定手段と、
を備えることを特徴とするナビゲーション装置。
【請求項２】
前記経路探索対象決定手段は、制限領域への進入回数又は制限領域における滞在時間若しくは駐車時間に基づいて前記制限領域にある道路を経路探索の対象とするか否かを決定する、
ことを特徴とする請求項１に記載のナビゲーション装置。
【請求項３】
前記経路探索対象決定手段は、所定期間における、制限領域への進入回数又は制限領域における滞在時間若しくは駐車時間に基づいて前記制限領域にある道路を経路探索の対象とするか否かを決定する、
ことを特徴とする請求項１に記載のナビゲーション装置。
【発明の詳細な説明】
【技術分野】
【０００１】
本発明は、目的地までの経路探索を実行するナビゲーション装置に関し、特に、特定車両以外の車両の走行を制限する制限領域内の道路を選択的に探索対象とするナビゲーション装置に関する。
【背景技術】
【０００２】
従来、地図情報に含まれない新設道路に関する情報を取得しながらそれら情報を利用した効果的な経路案内を実行できるようにするナビゲーション装置が知られている（例えば、特許文献１参照。）。
【０００３】
このナビゲーション装置は、車両の現在位置と地図情報に含まれる既登録道路との対応度合いを判断し、その対応度合いが所定の範囲から逸脱したと判断された場合に、その逸脱時の走行軌跡に基づいて新設道路に対応するリンクを地図情報に追加し、さらに、逸脱中の車両走行状態（走行速度又は操舵角等である。）に基づいて、その新設道路に関する付帯情報（通行規制等である。）を推定、記録する。
【０００４】
これにより、このナビゲーション装置は、新設道路の存在ばかりでなく、その新設道路に関する通行規制等の付帯情報をも考慮した経路案内を実行できるようにする。
【特許文献１】特開２００５−１７２５７８号公報
【発明の開示】
【発明が解決しようとする課題】
【０００５】
しかしながら、特許文献１に記載のナビゲーション装置は、車両の走行軌跡と走行状態とに基づいて地図情報に存在しない新設道路を経路探索の対象としながら新設道路に関する付帯情報を経路案内で効果的に利用できるようにするが、地図情報に既に登録されてはいるが誰もが通行できる道路ではないことから原則的に経路探索の対象から除外されている所定領域内の既登録道路を経路探索の対象としながらその既登録道路に関する付帯情報を経路案内で効果的に利用できるようにはしていない。
【０００６】
従って、特許文献１に記載のナビゲーション装置は、この所定領域内の一地点が目的地として設定された場合には、従来のナビゲーション装置と同様、この所定領域の外縁の一地点までの経路を探索して出力することとなり、運転者を真の目的地まで適切に誘導することができない場合がある。
【０００７】
上述の点に鑑み、本発明は、経路探索の対象から除外されている既登録道路を選択的に経路探索の対象として利用できるようにするナビゲーション装置を提供することを目的とする。
【課題を解決するための手段】
【０００８】
上述の目的を達成するために、第一の発明に係るナビゲーション装置は、地図情報を用いて経路探索を実行するナビゲーション装置であって、車両の現在位置と地図情報とに基づいて車両の走行する道路が経路探索の対象としない制限領域に属するか否かを判定する制限領域属否判定手段と、前記制限領域属否判定手段により制限領域に属すると判定された場合に、該制限領域への進入に関する情報を記録する制限領域進入情報記録手段と、前記制限領域進入情報記録手段の記録に基づいて前記制限領域にある道路を経路探索の対象とするか否かを決定する経路探索対象決定手段と、を備えることを特徴とする。
【０００９】
これにより、経路探索の対象から除外されている既登録道路を選択的に経路探索の対象とすることができる。
【００１０】
また、第二の発明は、第一の発明に係るナビゲーション装置であって、前記経路探索対象決定手段は、制限領域への進入回数又は制限領域における滞在時間若しくは駐車時間に基づいて前記制限領域にある道路を経路探索の対象とするか否かを決定することを特徴とする。
【００１１】
これにより、制限領域への進入が認められていない車両の運転者に対し、制限領域に属する道路を含む推奨経路を誤って提示してしまうのを確実に防止することができる。
【００１２】
また、第三の発明は、第一の発明に係るナビゲーション装置であって、前記経路探索対象決定手段は、所定期間における、制限領域への進入回数又は制限領域における滞在時間若しくは駐車時間に基づいて前記制限領域にある道路を経路探索の対象とするか否かを決定することを特徴とする。
【００１３】
これにより、最後の更新から長期間が経過した情報を除外しながら、制限領域にある既登録道路を経路探索の対象とするか否かを決定し、より適切な推奨経路を運転者に提示することができる。
【発明の効果】
【００１４】
上述の手段により、本発明は、経路探索の対象から除外されている既登録道路を選択的に経路探索の対象として利用できるようにするナビゲーション装置を提供することができる。
【発明を実施するための最良の形態】
【００１５】
以下、図面を参照しつつ、本発明を実施するための最良の形態の説明を行う。
【実施例】
【００１６】
図１は、本発明に係るナビゲーション装置の構成例を示すブロック図であり、ナビゲーション装置１００は、制御装置１、入力装置２、測位装置３、記憶装置４、表示装置５及び音声出力装置６から構成される。
【００１７】
制御装置１は、ＣＰＵ（Central  Processing  Unit）、ＲＡＭ(Random  Access  Memory)、ＲＯＭ（Read  Only  Memory）等を備えたコンピュータであって、例えば、経路探索手段１０、制限領域属否判定手段１１、制限領域進入情報記録手段１２及び経路探索対象決定手段１３のそれぞれに対応するプログラムをＲＯＭに記憶しながら、各手段に対応する処理をＣＰＵに実行させる。
【００１８】
入力装置２は、ナビゲーション装置１００に各種情報を入力するための装置であり、例えば、タッチパネル、ジョイスティック、リモートコントローラ、エスカッションボタン等であって、目的地や経由地等の入力に利用される。
【００１９】
測位装置３は、車両の位置を測定するための装置であり、例えば、ＧＰＳ(Global  Positioning  System)受信機によりＧＰＳアンテナを介してＧＰＳ衛星が出力するＧＰＳ信号を受信し、受信した信号に基づいて車両位置（緯度、経度、高度）を測定する。
【００２０】
測位装置３による測定は、単独測位や相対測位（干渉測位を含む。）等の如何なる方法であってもよいが、好ましくは精度の高い相対測位が用いられる。この際、自車位置は、舵角センサ、車速センサ、ジャイロセンサ等の各種センサの出力や、ビーコン受信機又はＦＭ多重受信機を介して受信される各種情報に基づいて補正されてもよい。
【００２１】
記憶装置４は、制御装置１が各種演算を実行する上で必要となる情報を記憶するための装置であり、例えば、ハードディスク又はＤＶＤ(Digital  Versatile  Disk)等の記憶媒体であって、目的地までの経路を探索するために利用する地図情報データベース４０（以下、「地図情報ＤＢ４０」とする。）、又は、制限領域への進入に関する情報（以下、「制限領域進入情報」とする。）を記憶する制限領域進入情報データベース４１（以下、「制限領域進入情報ＤＢ４１」とする。）等を格納する。
【００２２】
「制限領域」とは、原則的に経路探索の対象とならない領域であり、例えば、工場、空港、発電所又は港湾等の敷地内であって、ナビゲーション装置１００は、それら敷地内にある道路のリンクコストを高く設定することで、制限領域に属する道路が実質的に推奨経路に含まれないようにする。
【００２３】
地図情報ＤＢ４０は、交差点、インターチェンジ等のノードの位置（経度、緯度、高度）、リンク（ノード間を接続する要素）の距離、リンクコスト（リンクを通過するために要する時間、費用等の度合いをいう。）、施設位置（緯度、経度、高度）、施設名称等を体系的に記憶するデータベースである。
【００２４】
また、制限領域進入情報ＤＢ４１は、制限領域への進入回数、制限領域への進入時刻、制限領域からの退出時刻、制限領域内での滞在時間、制限領域内での駐車時間等の制限領域進入情報を制限領域毎に体系的に記憶するデータベースである。
【００２５】
図２は、制限領域進入情報ＤＢ４１の構成例を示す図であり、制限領域進入情報ＤＢ４１の一レコードが制限領域識別ＩＤ、進入回数、進入時刻、エンジン停止時刻、総滞在時間、総駐車時間及び探索対象フラグのデータフィールドから構成されることを示す。
【００２６】
データフィールド「制限領域識別ＩＤ」は、地図情報内に複数存在する制限領域を識別するための番号を保持し、データフィールド「進入回数」は、各制限領域への累積進入回数を示す値を保持する。また、データフィールド「進入時刻」は、車両が各制限領域に進入した時刻を保持し、データフィールド「エンジン停止時刻」は、制限領域内でエンジンを停止させた時刻を保持する。
【００２７】
さらに、データフィールド「総滞在時間」は、制限領域退出時刻から制限領域進入時刻を差し引いた時間を累積した値を保持し、データフィールド「総駐車時間」は、制限領域内でエンジンを再始動させた時刻から制限領域内でエンジンを停止させた時刻を差し引いた時間を累積した値を保持する。なお、データフィールド「探索対象フラグ」は、制限領域に属する道路を経路探索の対象とするか否かを示す値（例えば、「１（対象）」、「０（非対象）」である。）を保持する。
【００２８】
表示装置５は、各種情報を表示するための装置であり、例えば、液晶ディスプレイやプラズマディスプレイ等であって、電子地図や後述の経路探索手段１０が探索した推奨経路等の各種情報を表示する。
【００２９】
音声出力装置６は、各種情報を音声出力するための装置であり、例えば、車載スピーカであって、後述の経路探索手段１０が探索した推奨経路に関する音声案内を出力する。
【００３０】
次に、制御装置１が有する各種手段について説明する。
【００３１】
経路探索手段１０は、測位装置３が測定した車両の位置位置（緯度、経度、高度）と入力装置２を介して入力された目的地の位置情報（緯度、経度、高度）と記憶装置４に記憶された地図情報ＤＢ４０とに基づいて、目的地に至るまでの推奨経路を導き出すための手段であり、例えば、最短経路探索アルゴリズムとしてダイクストラ法を用い最短経路を探索する。なお、最短経路の他、最も早く目的地に到達できる最速経路や高速道路を利用しない経路等を探索するようにしてもよい。
【００３２】
また、探索した推奨経路を他の経路から識別できるように表示装置５の表示画面上に表示させ、運転者が推奨経路を容易に確認できるようにし、また、推奨経路に沿った音声案内を音声出力装置６から出力させ、運転者による運転を支援するようにしてもよい。
【００３３】
制限領域属否判定手段１１は、車両が走行する道路が制限領域に属するか否かを判定するための手段であり、例えば、測位装置３が測定した車両の位置情報と地図情報データベースが記憶する制限領域の位置情報とに基づいて車両が現在走行している道路が制限領域に属するか否かを判定する。
【００３４】
制限領域進入情報記録手段１２は、制限領域進入情報を記録するための手段であり、例えば、制限領域属否判定手段１１により車両が走行する道路が制限領域に属すると判定された場合に、その制限領域に対応する制限領域進入情報ＤＢ４１内の各種情報を更新させるようにする。
【００３５】
経路探索対象決定手段１３は、制限領域に属する道路を経路探索の対象とするか否かを決定するための手段であり、例えば、制限領域進入情報記録手段１２により制限領域進入情報ＤＢ４１に記録された各制限領域に対応する制限領域進入情報（例えば、各制限領域への進入回数又は各制限領域における滞在時間若しくは駐車時間等がある。）に基づいて、各制限領域に属する道路を経路探索の対象とするか否かを決定する。
【００３６】
また、経路探索対象決定手段１３は、所定の期間（例えば、１ヶ月）に限定して、各制限領域への進入回数又は各制限領域における滞在時間若しくは駐車時間等を取得し、各制限領域に属する道路を経路探索の対象とするか否かを決定するようにしてもよい。
【００３７】
最後の更新から長期間が経過していない制限領域進入情報のみに基づいてその制限領域に属する道路を経路探索の対象とするか否かを決定するようにし、その制限領域の走行が許可されていない車両の運転者に対して制限領域内の道路を含めた推奨経路を提示しないようにするためである。
【００３８】
この場合、制限領域進入情報記録手段１２は、直近の制限領域進入情報を記録した時から所定期間（例えば、１ヶ月）が経過した場合に、その制限領域に対応する制限領域進入情報を消去するようにしてもよい。
【００３９】
次に、図３を参照しながら、ナビゲーション装置１００が制限領域にある道路を経路探索の対象に設定する処理（以下、「経路探索対象設定処理」とする。）について説明する。なお、図３は、経路探索対象設定処理の流れを示すフローチャートである。
【００４０】
最初に、制御装置１は、制限領域属否判定手段１１により、測位装置３が測定した車両の位置情報と地図情報データベースが記憶する制限領域の位置情報とに基づいて車両が現在走行している道路が制限領域に属するか否かを判定する（ステップＳ１）。
【００４１】
走行している道路が制限領域に属すると判定された場合、制御装置１は、制限領域進入情報記録手段１２により、車両が制限領域に進入した時刻を制限領域進入情報ＤＢ４１に記録し、かつ、制限領域進入情報ＤＢ４１に記憶された進入回数をインクリメントする（ステップＳ２）。
【００４２】
その後、制御装置１は、経路探索対象決定手段１３により、制限領域進入情報ＤＢ４１に記憶された進入回数と所定の閾値Ｔとを比較する（ステップＳ３）。進入回数の多寡に基づいてナビゲーション装置１００を搭載した車両が特定の制限領域への進入を許可された車両であるか否かを判定するためである。
【００４３】
進入回数が閾値Ｔを上回る場合（ステップＳ３のＹＥＳ）、制御装置１は、経路探索対象決定手段１３により、制限領域進入情報ＤＢ４１の探索対象フラグ（図２参照。）に「１（対象）」をセットし、その制限領域に属する道路を探索対象に加えるようにする。
【００４４】
具体的には、制御装置１は、制限領域外の通常の道路と同じ条件となるよう、その制限領域に属する道路のリンクコストを低減させるようにしてもよい。
【００４５】
一方、進入回数が閾値Ｔ以下の場合（ステップＳ３のＮＯ）、制御装置１は、その制限領域に属する道路を探索対象に加えることなく、制限領域進入情報ＤＢ４１の探索対象フラグを「０（対象）」にセットしたまま、経路探索対象設定処理を終了させる。
【００４６】
車両が誤って制限領域に進入してしまう場合もあり得るからであり、そのような場合に、その制限領域に属する道路を安易に探索対象に加えるべきではないからである。
【００４７】
なお、制御装置１は、制限領域進入情報記録手段１２により、車両がその制限領域内でエンジンを停止させた時刻を制限領域進入情報ＤＢ４１に記録し、その上で、車両がエンジンを再始動させた場合に車両の駐車時間を算出できるようにしてもよい（エンジンを停止させた時刻とエンジンを再始動させた時刻との間の時間を算出する。）。
【００４８】
進入回数に代えて、或いは、進入回数に加えて、その制限領域内での駐車時間に基づきながら制限領域にある道路を経路探索の対象とするか否かを決定できるようにするためである。
【００４９】
さらに、制御装置１は、車両がその制限領域を退出した時刻を制限領域進入情報ＤＢ４１に記録し、車両がその制限領域に滞在した時間を算出できるようにしてもよい（車両がその制限領域に進入した時刻と車両がその制限領域を退出した時刻との間の時間を算出する。）。
【００５０】
進入回数や駐車時間に代えて、或いは、進入回数や駐車時間に加えて、その制限領域内での滞在時間に基づきながら制限領域にある道路を経路探索の対象とするか否かを決定できるようにするためである。
【００５１】
これにより、ナビゲーション装置１００は、次回以降に経路探索を実行する際、その制限領域に属する道路を経路探索の対象に含め、より詳細かつ適切な推奨経路を運転者に提示することができるようになる。
【００５２】
次に、図４を参照しながら、ナビゲーション装置１００が制限領域にある道路を経路探索の対象に含めながら経路探索を実行する処理（以下、「詳細経路探索処理」とする。）について説明する。なお、図４は、詳細経路探索処理の流れを示すフローチャートである。
【００５３】
最初に、制御装置１は、経路探索手段１０により、測位装置３が測定した車両の位置情報（緯度、経度、高度）と入力装置２を介して入力された目的地の位置情報（緯度、経度、高度）と記憶装置４に記憶された地図情報ＤＢ４０とに基づいて、目的地に至るまでの推奨経路の候補となる複数の推奨経路候補を抽出し、制限領域に属する道路が各推奨経路候補に含まれるか否かを判定する（ステップＳ１１）。
【００５４】
制限領域に属する道路が推奨経路候補に含まれる場合（ステップＳ１１のＹＥＳ）、制御装置１は、制限領域に属する道路が経路探索の対象となっているか否かを確認し（ステップＳ１２）、経路探索の対象となっている場合には（ステップＳ１２のＹＥＳ）、制限領域に属する道路を含めながら推奨経路を探索するようにする（ステップＳ１３）。
【００５５】
具体的には、制御装置１は、その制限領域に対応する探索対象フラグ（図２参照。）の値を参照し、「１（対象）」が設定されている場合に、その制限領域に属する道路のリンクコストを低減させながら、最もリンクコストの低くなる推奨経路候補を最終的な推奨経路として選択するようにする。
【００５６】
その後、制御装置１は、制限領域に属する道路が推奨経路に含まれることを運転者に通知するために、推奨経路中の制限領域に属する道路の部分を他の推奨経路の部分とは異なる色で表示装置５の表示画面上に表示させたり、点滅表示させたり、或いは、「構内道路の走行が含まれます。」といった音声案内を音声出力装置６から出力させたりする（ステップＳ１４）。
【００５７】
制限領域に属する道路を推奨経路に含めたことを運転者に確実に伝えるようにするためであり、例えば、制限領域内の走行が認められていない運転者（例えば、過去の制限領域進入情報により車両自体は制限領域の走行を認められていると判断され、その制限領域に属する道路を含む推奨経路が提示された場合を想定する。）が制限領域に誤って進入してしまうのを未然に防止するためである。
【００５８】
一方、制限領域に属する道路が何れの推奨経路候補に含まれない場合（ステップＳ１１のＮＯ）、或いは、制限領域に属する道路が経路探索の対象となっていない場合（ステップＳ１２のＮＯ）、制御装置１は、制限領域に属する道路を除きながら推奨経路を探索するようにする（ステップＳ１５）。
【００５９】
制限領域に属する道路を走行できるか否かが不明なまま、制限領域に属する道路を含む推奨経路を運転者に提示してしまうことがないようにするためである。
【００６０】
この場合、制御装置１は、制限領域に属する道路が推奨経路候補に含まれる旨を表示装置５の表示画面に表示させたり、音声出力装置６から音声出力させたりしてもよく、或いは、制限領域に属する道路を経路探索の対象とすることができない旨の注意喚起を表示装置５の表示画面に表示させたり、音声出力装置６から音声出力させたりしてもよい。
【００６１】
これにより、ナビゲーション装置１００は、制限領域の走行が認められた車両の運転者に対しては制限領域に属する道路を含む詳細な推奨経路を提示でき、一方で、制限領域を走行できるか否かが不明な車両の運転者、又は、制限領域の走行が認められない車両の運転者に対しては制限領域に属する道路を含む詳細な推奨経路を誤って提示してしまうのを防止することができる。
【００６２】
次に、図５を参照しながら、別の詳細経路探索処理について説明する。なお、図５は、別の詳細経路探索処理の流れを示すフローチャートであり、図４のステップＳ１２の代わりに、ステップＳ２２及びステップＳ２３を有する点において図４に示す詳細経路探索処理と相違するが、その他のステップについては共通する。
【００６３】
制限領域に属する道路が各推奨経路候補に含まれる場合（ステップＳ２１のＹＥＳ）、制御装置１は、制限領域に属する道路を経路探索の対象に含めるか否かを運転者に選択させる画面を表示装置５の表示画面に表示させる（ステップＳ２２）。
【００６４】
その後、制御装置１は、入力装置２を介した運転者の操作入力に基づいて制限領域に属する道路を経路探索の対象とすることを運転者が確認したか否かを判断する（ステップＳ２３）。
【００６５】
制限領域に属する道路を経路探索の対象とすることが運転者によって確認されたと判断した場合（ステップＳ２３のＹＥＳ）、制御装置１は、制限領域に属する道路を含めながら推奨経路を探索し（ステップＳ２４）、かつ、制限領域に属する道路が推奨経路に含まれることを運転者に通知する（ステップＳ２５）。
【００６６】
一方、制限領域に属する道路を経路探索の対象としないことが運転者によって確認されたと判断した場合（ステップＳ２３のＮＯ）、制御装置１は、制限領域に属する道路を除きながら推奨経路を探索するようにする（ステップＳ２６）。
【００６７】
これにより、ナビゲーション装置１００は、運転者の確認を得た上で、制限領域を走行できる運転者に対しては制限領域に属する道路を含む詳細な推奨経路を提示でき、一方で、制限領域を走行できない運転者に対しては制限領域に属する道路を含む詳細な推奨経路を誤って提示してしまうことを防止することができる。
【００６８】
最後に、図６を参照しながら、ナビゲーション装置１００が表示装置５の表示画面に表示させる推奨経路の表示例について説明する。
【００６９】
図６において、実線で示す経路Ｒ１は、太線で囲われた制限領域Ｌ内の一施設を目的地Ｇとして入力した場合に選択される推奨経路の一部であって、制限領域Ｌに属する道路が経路探索の対象とされていないために推奨経路が地点Ｐで終了している状態を示す。
【００７０】
また、点線で示す経路Ｒ２は、経路Ｒ１と同様に、制限領域Ｌ内の一施設を目的地Ｇとして入力した場合に選択される推奨経路の一部であって、制限領域Ｌに属する道路が経路探索の対象とされているために推奨経路が地点Ｐを超え制限領域Ｌ内の道路を経て目的地Ｇの直前まで延びている状態を示す。
【００７１】
また、一点鎖線で示す経路Ｒ３は、経路Ｒ１及びＲ２と同様に、制限領域Ｌ内の一施設を目的地Ｇとして入力した場合に選択される推奨経路の一部であって、制限領域Ｌに属する道路が経路探索の対象とされてはいるが、経路Ｒ２のリンクコストと経路Ｒ３のリンクコストとを比較した結果、経路Ｒ２のリンクコストが経路Ｒ３のリンクコストより大きいと判断されたために最終的に経路Ｒ３が推奨経路として選択された状態を示し、経路Ｒ２と同様に、推奨経路が地点Ｐを超え目的地Ｇの直前まで延びている状態を示す。
【００７２】
このように、ナビゲーション装置１００は、制限領域Ｌに属する道路が経路探索の対象となっているか否かに応じて運転者に提示する推奨経路を変化させるので、運転者に応じた適切な推奨経路を提示することができる。
【００７３】
以上の構成により、ナビゲーション装置１００は、運転者や車両を特定することなく、車両の過去の走行履歴に基づいて制限領域に属する道路を経路探索の対象とするか否かを決定するので、ナビゲーション装置１００毎に、制限領域への進入が許可された者として運転者を登録したり、制限領域への進入が許可された車両を登録したりすることなく、簡便に適切な推奨経路を提示することができる。
【００７４】
また、ナビゲーション装置１００は、制限領域への進入回数又は制限領域における滞在時間若しくは駐車時間等に基づいてその制限領域にある道路を経路探索の対象とするか否かを決定するので、過去に誤って制限領域に進入してしまった車両の運転者に対して制限領域に属する道路を考慮した推奨経路を提示してしまうのを防止することができる。
【００７５】
以上、本発明の好ましい実施例について詳説したが、本発明は、上述した実施例に制限されることはなく、本発明の範囲を逸脱することなしに上述した実施例に種々の変形及び置換を加えることができる。
【００７６】
例えば、上述の実施例において、ナビゲーション装置１００は、目的地が制限領域に含まれる場合に、その制限領域に属する道路を経路探索の対象とするか否かを決定するようにしているが、経由地が制限領域に含まれる場合や現在地と目的地との間に制限領域が存在する場合に、その制限領域に属する道路を経路探索の対象とするか否かを決定するようにしてもよい。
【００７７】
また、ナビゲーション装置１００は、地図情報ＤＢ４０に予め制限領域に関する情報を記憶しているが、路車間通信や携帯電話周波数を利用した無線通信を介して通信センタ等が配信する情報を取得し、取得した情報に基づいて制限領域に関する情報を随時更新するようにしてもよい。新たに設定される制限領域や制限が解除された制限領域にも対応できるようにするためである。
【図面の簡単な説明】
【００７８】
【図１】本発明に係るナビゲーション装置の構成例を示すブロック図である。
【図２】制限領域進入情報ＤＢの構成例を示す図である。
【図３】経路探索対象設定処理の流れを示すフローチャートである。
【図４】詳細経路探索処理の流れを示すフローチャート（その１）である。
【図５】推奨経路の表示例を示す図である。
【図６】詳細経路探索処理の流れを示すフローチャート（その２）である。
【符号の説明】
【００７９】
１      制御装置
２      入力装置
３      測位装置
４      記憶装置
５      表示装置
６      音声出力装置
１０    経路探索手段
１１    制限領域属否判定手段
１２    制限領域進入情報記録手段
１３    経路探索対象決定手段
４０    地図情報データベース
４１    制限領域進入情報データベース
１００  ナビゲーション装置
Ｇ      目的地
Ｌ      制限領域
Ｐ      地点
Ｒ１〜Ｒ３  経路
【図１】
2008256555.tif 000003
【図２】
2008256555.tif 000004
【図３】
2008256555.tif 000005
【図４】
2008256555.tif 000006
【図５】
2008256555.tif 000007
【図６】
2008256555.tif 000008